(57)【要約】【課題】普段は照明として利用しつつ、非常時には十分に充電されたバッテリーを備えた照明兼充電器として利用可能な照明器具を提供すること。【解決手段】本発明によれば、発光部、無線給電パッド及び給電プラグを備え、前記無線給電パッドは、無線給電モジュール及びバッテリーを備え、前記バッテリーは、前記発光部及び前記無線給電モジュールに給電可能に構成され、前記給電プラグは、外部電力を前記発光部、前記バッテリー及び前記無線給電モジュールの少なくとも１つに給電可能に構成され、前記給電プラグにより外部電力が供給される場合には、前記給電プラグにより、前記バッテリーの充電率が８０％以上に維持されるように構成される、照明器具が提供される。【選択図】図２
2020009654.tif 000002
【特許請求の範囲】
【請求項１】
発光部、無線給電パッド及び給電プラグを備え、
前記無線給電パッドは、無線給電モジュール及びバッテリーを備え、
前記バッテリーは、前記発光部及び前記無線給電モジュールに給電可能に構成され、
前記給電プラグは、外部電力を前記発光部、前記バッテリー及び前記無線給電モジュールの少なくとも１つに給電可能に構成され、
前記給電プラグにより外部電力が供給される場合には、前記給電プラグにより、前記バッテリーの充電率が８０％以上に維持されるように構成される、
照明器具。
【請求項２】
制御部を備え、
前記制御部は、
前記給電プラグにより外部電力が供給される場合には、前記給電プラグから外部電力を前記発光部に給電し、
前記給電プラグにより外部電力が供給されなくなった場合には、前記バッテリーから前記発光部に給電するように電力供給源の切替制御を実行し、前記発光部を点灯させるように制御可能に構成される、
請求項１に記載の照明器具。
【請求項３】
操作部を備え、
前記操作部により、前記給電プラグから外部電力を前記発光部に給電する第１モードと、前記バッテリーから前記発光部に給電する第２モードを切り替え可能に構成される、
請求項１又は請求項２に記載の照明器具。
【請求項４】
通信チップを備え、
前記通信チップは、他の情報処理装置と無線によりデータ通信可能に構成され、且つ、音声情報処理装置により生成されたコマンドに起因する制御信号を受信可能に構成され、
前記制御部は、前記制御信号に基づいて、前記発光部の発光特性を制御する、
請求項１〜請求項３の何れか１つに記載の照明器具。
【請求項５】
前記制御部は、人感センサーによる検出結果に基づいて、前記照明器具の設置場所から予め定められた範囲外へユーザーが移動した場合、前記発光部を消灯するように制御する、
請求項１〜請求項４の何れか１つに記載の照明器具。
【請求項６】
前記制御部は、睡眠状態検出装置による検出結果に基づいて、前記照明器具のユーザーが睡眠状態へと移行した場合、前記発光部を消灯するように制御する、
請求項１〜請求項５の何れか１つに記載の照明器具。
【請求項７】
前記バッテリーは、前記無線給電パッドの内部に設けられる、
請求項１〜請求項６の何れか１つに記載の照明器具。
【請求項８】
照明器具及びサーバを備え、
前記照明器具は、発光部、無線給電パッド、給電プラグ、通信チップ及び制御部を備え、
前記無線給電パッドは、無線給電モジュール及びバッテリーを備え、
前記バッテリーは、前記発光部及び前記無線給電モジュールに給電可能に構成され、
前記給電プラグは、外部電力を前記発光部、前記バッテリー及び前記無線給電モジュールの少なくとも１つに給電可能に構成され、
前記給電プラグにより外部電力が供給される場合には、前記給電プラグにより、前記バッテリーの充電率が８０％以上に維持されるように構成され、
前記通信チップは、前記サーバと無線によりデータ通信可能に構成され、
前記サーバは、生成部及び通信部を備え、
前記生成部は、音声情報処理装置により生成されたコマンドを解析し、前記照明器具の挙動を制御する制御信号を生成可能に構成され、
前記通信部は、前記制御信号を前記通信チップに送信可能に構成される、
システム。
【請求項９】
前記照明器具は、制御部を備え、
前記制御部は、
前記給電プラグにより外部電力が供給される場合には、前記給電プラグから外部電力を前記発光部に給電し、
前記給電プラグにより外部電力が供給されなくなった場合には、前記バッテリーから前記発光部に給電するように電力供給源の切替制御を実行し、前記発光部を点灯させるように制御可能に構成される、
請求項８に記載のシステム。
【請求項１０】
操作部を備え、
前記操作部により、前記給電プラグから外部電力を前記発光部に給電する第１モードと、前記バッテリーから前記発光部に給電する第２モードを切り替え可能に構成される、
請求項８又は請求項９に記載の照明器具。
【請求項１１】
前記サーバは、前記発光部の発光率を制御するために設定された設定発光率に基づいて、前記発光部の発光率を制御する発光制御信号を前記通信チップに送信し、
前記照明器具の前記制御部は、前記発光制御信号に基づいて、前記発光部の発光率を制御可能に構成される、
請求項８〜請求項１０の何れか１つに記載のシステム。
【請求項１２】
前記通信チップは、前記発光部の実際の発光率を予め定められたタイミングで通信部に送信可能に構成され、
前記サーバは、前記発光部の実際の発光率に基づいて、前記設定発光率を書き換え可能に構成される、
請求項１１に記載のシステム。
【発明の詳細な説明】
【技術分野】
【０００１】
本発明は、照明器具及びシステムに関する。
【０００２】
特許文献１には、非常時のバッテリーの消耗を低減し、非常時に規定されている所定の点灯時間を満足させることができる照明装置が開示されている。
【先行技術文献】
【特許文献】
【０００３】
【特許文献１】特開２０１３−８６１６号公報
【発明の概要】
【発明が解決しようとする課題】
【０００４】
しかし、従来の技術では、非常時に照明装置を利用しようとしても、バッテリーの蓄電が十分でなく、実用に耐えない場合があった。
【０００５】
本発明は、かかる事情を鑑みてなされたものであり、普段は照明として利用しつつ、非常時には十分に充電されたバッテリーを備えた照明兼充電器として利用可能な照明器具を提供することを目的とする。
【課題を解決するための手段】
【０００６】
以下、本発明の種々の実施形態を例示する。以下に示す実施形態は互いに組み合わせ可能である。
【０００７】
本発明によれば、発光部、無線給電パッド及び給電プラグを備え、前記無線給電パッドは、無線給電モジュール及びバッテリーを備え、前記バッテリーは、前記発光部及び前記無線給電モジュールに給電可能に構成され、前記給電プラグは、外部電力を前記発光部、前記バッテリー及び前記無線給電モジュールの少なくとも１つに給電可能に構成され、前記給電プラグにより外部電力が供給される場合には、前記給電プラグにより、前記バッテリーの充電率が８０％以上に維持されるように構成される、照明器具が提供される。
【０００８】
本発明では、給電プラグにより外部電力が供給される場合には、給電プラグにより、バッテリーの充電率が８０％以上に維持されるように構成される。そして、非常時には、バッテリーにより、発光部及び無線給電モジュールに給電される。このように、通常の使用時においてバッテリーが８０％以上に維持されているので、非常時に照明器具を持ち出したときに、バッテリー切れで照明器具を利用できない事態を防止することが可能になる。
【０００９】
以下、本発明の種々の実施形態を例示する。以下に示す実施形態は互いに組み合わせ可能である。
【図面の簡単な説明】
【００１０】
【図１】本発明の一実施形態に係る照明器具１０の斜視図である。
【図２】照明器具１０の機能ブロック図である。
【図３】本発明の一実施形態に係るシステム１００の概略を示す図である。
【図４】発光部２３の発光率を制御するための設定発光率の一例を表す図である。
【図５】人の存在の有無に応じて照明器具１０を制御する際のフローチャートの一例である。
【図６】睡眠状態に応じて照明器具１０を制御する際のフローチャートの一例である。
【図７】照明器具１０の電力供給源を切り替える処理を表すフローチャートの一例である。
【図８】実際の発光率に基づいて、設定発光率を書き換えて書換発光率を生成することを説明するための図である。
【発明を実施するための形態】
【００１１】
以下、図面を用いて本発明の実施形態について説明する。以下に示す実施形態中で示した各種特徴事項は、互いに組み合わせ可能である。
【００１２】
１．照明器具１０
図１に示すように、照明器具１０は、無線給電パッド１及びライトヘッド２を備える。無線給電パッド１は、スマートフォンやタブレット端末等の多機能情報端末を無線で充電する、いわゆるワイヤレス充電を実現するものである。ライトヘッド２は、後述の発光部２３を備える照明部分である。無線給電パッド１はハウジング１１を備え、ライトヘッド２はハウジング２１を備える。そして、ハウジング１１及びハウジング２１は、第１回動部４ａ及び第２回動部４ｂを介して、第１アーム３ａ、第２アーム３ｂ及び軸５により連結される。本実施形態では、第１回動部４ａにより、第１アーム３ａと第２アーム３ｂが相対的に回動可能に構成される。また、第２回動部４ｂにより、第２アーム３ｂと軸５が相対的に回動可能に構成される。以下、第１アーム３ａ及び第２アーム３ｂを総称してアーム３と称する。
【００１３】
１−１．無線給電パッド１
図２に示すように、無線給電パッド１は、ハウジング１１の内部に、給電プラグ１２、通信チップ１３、無線給電モジュール１４、バッテリー１５、制御部１６及び記憶部１７を備える。
【００１４】
給電プラグ１２は、外部電力を発光部２３、バッテリー１５及び無線給電モジュール１４の少なくとも１つに給電可能に構成される。具体的には、給電プラグ１２は、配線用差込接続器を構成する差し込みプラグである。そして、給電プラグ１２を不図示のプラグ受けに差し込むことにより、商用電源等の外部電力を発光部２３、バッテリー１５及び無線給電モジュール１４の少なくとも１つに給電する。
【００１５】
通信チップ１３は、他の情報処理装置と無線によりデータ通信可能に構成される。また、通信チップ１３は、音声情報処理装置により生成されたコマンドに起因する制御信号を受信可能に構成される。ここで、通信チップ１３は、Ｗｉ−Ｆｉ（登録商標）に対応した無線通信可能なチップであることが好ましい。
【００１６】
無線給電モジュール１４は、多機能情報端末５０への無線給電を実現するためのモジュールであり、種々の回路等により実現される。
【００１７】
バッテリー１５は、発光部２３及び無線給電モジュール１４に給電可能に構成される。バッテリー１５の容量は特に限定されないが、例えば１０，０００ｍＡｈ以上であることが好ましい。ここで、バッテリー１５は、無線給電パッド１ではなくライトヘッド２に設けることもできる。しかし、重心の安定性の観点から、バッテリー１５を無線給電パッド１に設けることが好ましい。
【００１８】
制御部１６は、照明器具１０を構成する種々の要素を制御するものである。具体的には、制御部１６は、給電プラグ１２により外部電力が供給される場合には、給電プラグ１２から外部電力を発光部２３に給電するように制御可能に構成される。また、制御部１６は、給電プラグ１２により外部電力が供給されなくなった場合には、バッテリー１５から発光部２３に給電するように電力供給源の切替制御を実行し、発光部２３を点灯させるように制御可能に構成される。
【００１９】
記憶部１７は、種々のプログラム及びデータを記憶するものである。
【００２０】
そして、本実施形態では、給電プラグ１２により外部電力が供給される場合には、給電プラグ１２により、バッテリー１５の充電率が８０％以上に維持されるように構成される。ここで、給電プラグ１２により外部電力が供給される場合とは、給電プラグ１２によりバッテリー１５の充電率が８０％以上となった後における期間を意味する。そして、バッテリー１５の充電率が８０％以上となった後において、給電プラグ１２により、バッテリー１５の充電率が８０％以上に維持される。
【００２１】
つまり、本実施形態に係る照明器具１０は、普段の利用においては、給電プラグ１２により外部電力を利用してバッテリー１５を充電しつつ、発光部２３と無線給電モジュール１４を駆動させることができる。そして、非常時に外部電力が供給されなくなった場合には、充分に充電されたバッテリー１５により、発光部２３と無線給電モジュール１４を駆動させることができる。これにより、非常時に必要な明かりに加え、現在の必須デバイスである多機能情報端末の充電環境を確保することが可能になる。
【００２２】
１−２．ライトヘッド２
図２に示すように、ライトヘッド２は、ハウジング２１の内部に、電力取得部２２、発光部２３、ＡＣ／ＤＣコンバータ２４及び操作部２５を備える。
【００２３】
電力取得部２２は、給電プラグ１２又はバッテリー１５から給電された電力を取得するものである。
【００２４】
発光部２３は、光源を備える。光源は、例えばＬＥＤにより構成される。そして、発光部２３の光源は、点灯回路により点灯される。かかる点灯回路は、電力取得部２２により取得された電力により駆動される。
【００２５】
ＡＣ／ＤＣコンバータ２４は、交流の外部電源を直流の電圧に変換するものである。
【００２６】
操作部２５は、発光部２３の発光率やトーンを操作可能に構成される。ここで、操作部２５の操作面、すなわち、操作部２５とユーザーのインターフェースは、ハウジング２１の表面に設けられる。操作部２５は、例えば物理ボタン、タッチパネル、音声入力部、ジェスチャー入力部により構成される。ここで、発光部２３の発光率は、例えば０〜１００％で表される調整量であり、発光率が０％のときは発光部２３が消灯状態となり、発光率が１００％のときは発光部２３が最大光量で点灯している状態を表す。また、発光部２３のトーンとは、例えば、発光部２３から照射される照射光が暖色であるか寒色であるかを表すものである。
【００２７】
また、照明器具１０は、操作部２５により、給電プラグ１２から外部電力を発光部２３に給電する第１モードと、バッテリー１５から発光部２３に給電する第２モードを切り替え可能に構成される。これにより、非常時に避難した避難所において、外部電源のコンセントの数が限られている場合でも、手動で電源の供給源を切り替えることができる。
【００２８】
ここで、電力取得部２２は必須ではなく、給電プラグ１２又はバッテリー１５から発光部２３に直接給電するように構成してもよい。また、電力取得部２２及びＡＣ／ＤＣコンバータ２４は、ライトヘッド２ではなく無線給電パッド１に設けても良い。
【００２９】
上記の各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００３０】
２．システム１００
次に、図３を用いて、本発明の一実施形態に係るシステム１００について説明する。図３に示すように、システム１００は、照明器具１０及びサーバ３０を備える。本実施形態では、システム１００は、さらに睡眠状態検出装置４０、多機能情報端末５０、スマートスピーカー６０を備える。これらは互いにネットワークＮＴを介してデータ通信可能に接続される。
【００３１】
サーバ３０は、通信部３１、制御部３２、生成部３３、記憶部３４を備える。ここで、照明器具１０の通信チップ１３は、サーバ３０の通信部３１と無線によりデータ通信可能に構成される。通信部３１、制御部３２及び記憶部３４の機能は、照明器具１０の通信チップ１３、制御部１６及び記憶部１７と同様なので、その説明を省略する。
【００３２】
生成部３３は、音声情報処理装置により生成されたコマンドを解析し、照明器具１０の挙動を制御する制御信号を生成可能に構成される。そして、通信部３１は、生成部３３が生成した制御信号を通信チップ１３に送信する。一方、照明器具１０は、制御部１６により、受信した制御信号に基づいて、発光部２３の発光特性を制御する。ここで、発光特性は、照明器具１０の発光率、トーン、点灯時刻、消灯時刻等を意味する。
【００３３】
睡眠状態検出装置４０は、ユーザーの睡眠状態を検出するものである。睡眠状態検出装置４０は、通信部４１、制御部４２、センサー４３を備える。通信部４１及び制御部４２の機能は、照明器具１０の通信チップ１３及び制御部１６と同様なので、その説明を省略する。
【００３４】
センサー４３は、ユーザーの睡眠状態を検出するために、ユーザーの生体データを取得するものである。センサー４３の種別は特に限定されず、心拍数センサー、血圧センサー、脳波センサー、振動センサー等又はこれらの組み合わせを利用することができる。
【００３５】
ここで、睡眠状態検出装置４０は、ユーザーの手首や足首に装着するウェアラブルデバイスや、ベッドに設置するマットレスセンサーとして実装することができる。睡眠状態検出装置４０が検出した各種データは、通信部４１によりサーバ３０の通信部３１に送信される。ここで、睡眠状態検出装置４０がウェアラブルデバイスの場合、照明器具１０と睡眠状態検出装置４０をＢｌｕｅｔｏｏｔｈ（登録商標）等によりペアリングしてもよい。
【００３６】
多機能情報端末５０は、スマートフォン、タブレット端末、スマートウォッチ等により構成される。そして、プログラムに従い、照明器具１０に対して種々の制御信号を送信する。ここで、本実施形態では、多機能情報端末５０は、サーバ３０を介して照明器具１０とデータ通信を実行する。
【００３７】
スマートスピーカー６０は、音声情報処理装置の一例である。本実施形態では、スマートスピーカー６０は、音声入力に対応し、且つネットワークＮＴに接続されたスピーカーである。スマートスピーカー６０は、ユーザーから音声を受信し、受信した音声をテキストに変換する。そして、変換されたテキストに基づいて、コマンドを生成し、サーバ３０に送信する。一方、サーバ３０の生成部３３は、受信したコマンドを解析し、照明器具１０の挙動を制御する制御信号を生成する。
【００３８】
３．設定発光率
図４に示すように、サーバ３０の記憶部３４は、発光部２３の発光率を制御するために設定された設定発光率を記憶する。そして、サーバ３０は、設定発光率に基づいて、発光部２３の発光率を制御する発光制御信号を通信チップ１３に送信する。一方、照明器具１０の制御部１６は、受信した発光制御信号に基づいて、発光部２３の発光率を制御する。以下、具体的に説明する。
【００３９】
図４は、６時から２４時までの期間における設定発光率及びトーンを定めたテーブルの一例である。例えば、照明器具１０をベッドサイドに設置している場合において、ユーザーの起床時間が６時であるとき、図４の例では、６時になると照明器具１０の発光部２３を７５％の強度で点灯させる。このとき、発光部２３から照射される光のトーンは寒色である。また、ユーザーが外出している９時から１８時までの間は、発光部２３を消灯させる。そして、ユーザーがベッドサイドで読書をする習慣がある場合等には、２１時から発光部２３を１００％の強度で点灯させ、就寝時間が近づくにつれて徐々に発光率を下げていき、２４時になると消灯させる。このとき、発光部２３から照射される光のトーンは暖色である。このように、基本的に、照明器具１０の挙動は、設定発光率に基づいてサーバ３０から送信される発光制御信号により制御される。
【００４０】
４．フローチャート
以下、図５〜図７を用いて、照明器具１０とサーバ３０の間の処理について説明する。
【００４１】
４−１．人検出
図５は、人感センサーによる検出結果を用いて、照明器具１０の周囲に存在する人の有無に基づいて、照明器具１０を制御する場合のフローチャートの一例である。図５の例では、照明器具１０の設置場所から予め定められた範囲外へユーザーが移動した場合、発光部２３を消灯するように制御する。ここで、照明器具１０の設置場所から予め定められた範囲外へユーザーが移動した場合とは、照明器具１０が設置された部屋と別の部屋への移動や、照明器具１０が設置されている建物からユーザーが外出するような場合である。
【００４２】
まず、Ｓ１において、通信チップ１３は、サーバ３０から送信された制御信号を受信する。ここで、制御信号は、スマートスピーカー６０（音声情報処理装置）により生成されたコマンドに起因する制御信号と、発光制御信号の両者を含む。
【００４３】
次に、Ｓ２において、制御部１６は、制御信号に基づいて、発光部２３を制御する。
【００４４】
次に、Ｓ３において、人感センサーにより、ユーザーが離反したか否か、換言すると、照明器具１０の設置場所から予め定められた範囲外へユーザーが移動したか否かが判定される。そして、ユーザーが離反したと判定されない場合は、特に処理を実行せず、待機する。一方、ユーザーが離反したと判定された場合には、Ｓ４に進む。
【００４５】
次に、Ｓ４において、制御部１６により、発光部２３が点灯中であるか否かが判定される。そして、発光部２３が点灯中であると判定された場合、つまり、ユーザーが照明器具１０から離反し、且つ発光部２３が点灯している場合には、Ｓ５において、制御部１６により、発光部２３が消灯される。一方、ユーザーが照明器具１０から離反したものの、発光部２３が点灯中でない場合、制御部１６はそのまま待機する。
【００４６】
次に、Ｓ６において、人感センサーにより、ユーザーが接近したか否か、換言すると、照明器具１０の設置場所から予め定められた範囲内へユーザーが移動したか否かが判定される。そして、ユーザーが接近したと判定されない場合は、特に処理を実行せず、待機する。一方、ユーザーが接近したと判定された場合には、Ｓ７に進む。
【００４７】
Ｓ７において、サーバ３０は、記憶部３４に記憶した設定発光率を参照し、現在の時刻が照明器具１０の点灯時間である場合には、Ｓ８に進み、発光部２３を点灯させる。一方、現在の時刻が照明器具１０の点灯時間でない場合には、特に処理を実行せず、待機する。
【００４８】
ここで、Ｓ８を設けずに、照明器具１０の設置場所から予め定められた範囲内へユーザーが接近した場合に、発光部２３を点灯させてもよい。しかし、Ｓ８を設けることにより、昼間の明るい時間帯にユーザーが照明器具１０に接近した場合に、照明器具１０の不要な点灯を抑制することができる。
【００４９】
また、人感センサーに代えて、ユーザーの所持するスマートフォン等の位置情報を利用してもよい。また、照明器具１０が設置された建物内に設けられた情報処理装置等と、ユーザーの所持するスマートフォン等のペアリングの解除又は接続を起点してもよい。
【００５０】
４−２．睡眠検出
図６は、睡眠状態検出装置４０による検出結果を用いて、ユーザーの睡眠状態に基づいて、照明器具１０を制御する場合のフローチャートの一例である。図６の例では、照明器具１０のユーザーが睡眠状態へと移行した場合、発光部２３を消灯するように制御する。
【００５１】
まず、Ｓ１１において、通信チップ１３は、サーバ３０から送信された制御信号を受信する。ここで、制御信号は、スマートスピーカー６０（音声情報処理装置）により生成されたコマンドに起因する制御信号と、発光制御信号の両者を含む。
【００５２】
次に、Ｓ１２において、制御部１６は、制御信号に基づいて、発光部２３を制御する。
【００５３】
次に、Ｓ１３において、睡眠状態検出装置４０により、ユーザーが睡眠状態へ移行したか否かが判定される。そして、ユーザーが睡眠状態へ移行したと判定されない場合は、特に処理を実行せず、待機する。一方、ユーザーが睡眠状態へ移行したと判定された場合には、Ｓ１４に進む。
【００５４】
次に、Ｓ１４において、発光部２３が点灯中であるか否かが判定される。そして、発光部２３が点灯中であると判定された場合、つまり、ユーザーが睡眠状態へ移行し、且つ発光部２３が点灯している場合には、Ｓ１５において、制御部１６により、発光部２３が消灯される。一方、ユーザーが睡眠状態へ移行したものの、発光部２３が点灯中でない場合、制御部１６はそのまま待機する。
【００５５】
次に、Ｓ１６において、睡眠状態検出装置４０により、ユーザーが起床したか否かが判定される。そして、ユーザーが起床したと判定されない場合は、特に処理を実行せず、待機する。一方、ユーザーが起床したと判定された場合には、Ｓ１７に進む。
【００５６】
Ｓ１７において、サーバ３０は、記憶部３４に記憶した設定発光率を参照し、現在の時刻が照明器具１０の点灯時間である場合には、Ｓ１８に進み、発光部２３を点灯させる。一方、現在の時刻が照明器具１０の点灯時間でない場合には、特に処理を実行せず、待機する。
【００５７】
ここで、Ｓ１８を設けずに、ユーザーの起床に合わせて発光部２３を点灯させてもよい。しかし、Ｓ１８を設けることにより、ユーザーが普段より早く目を覚まし、起床すべき時間までベッドでくつろいでいたい場合に、照明器具１０の不要な点灯を抑制することができる。
【００５８】
４−３．電力供給源切替
次に、図７を用いて、給電プラグ１２により外部電力が供給されなくなった場合に、バッテリー１５から発光部２３に給電するように電力供給元を切り替える切替制御について説明する。
【００５９】
まず、Ｓ２１において給電プラグ１２を不図示のプラグ受けに差し込むことにより、商用電源等の外部電力を発光部２３、バッテリー１５及び無線給電モジュール１４の少なくとも１つに給電する。本実施形態では、商用原電はＡＣ電源であり、ＡＣ／ＤＣコンバータ２４によりＡＣ電源がＤＣ電源に変換され、発光部２３とバッテリー１５に給電される。この場合、バッテリー１５からさらに無線給電モジュール１４に給電される。なお、外部電力をバッテリー１５に給電することに加え、さらに無線給電モジュール１４にも給電してもよい。このとき、バッテリー１５から無線給電モジュール１４への給電はされない状態となる。
【００６０】
次に、Ｓ２２において、サーバ３０に記憶された設定発光率に基づき、照明器具１０の制御部１６により、発光部２３が制御される。
【００６１】
次に、Ｓ２３において、給電プラグ１２が差し込まれたプラグ受けより、外部電力（ＡＣ電源）が供給されているか否かを判定する。そして、外部電力（ＡＣ電源）が供給されている場合には、特に処理を実行せず、待機する。一方、停電等により、外部電力（ＡＣ電源）の供給が途切れた場合には、照明器具１０の制御部１６により、発光部２３、バッテリー１５及び無線給電モジュール１４の少なくとも１つへの電力供給元をバッテリー１５に切り替える。
【００６２】
そして、Ｓ２５において、バッテリー１５から供給される電力を利用して、発光部２３を点灯させる。
【００６３】
これにより、例えば非常時に外部電力の供給が遮断され、照明器具１０が設置されている家の中が暗くなった場合でも、外部電力の供給の遮断に応じて自動的に発光部２３を点灯させることが可能になる。このとき、外部電力の供給が遮断される前は、給電プラグ１２により、バッテリー１５の充電率が８０％以上に維持されているので、避難所等に照明器具１０を持っていくときに、バッテリー１５の充電切れを回避しやすくなる。
【００６４】
なお、Ｓ２３の判定に変えて、外部電力（ＡＣ電源）が供給されなくなったときに、自動的に電力供給元を切り替えてもよい。このとき、電力供給元の切り替えに応じて、発光部２３を点灯させる構成とすることができる。
【００６５】
５．設定発光率の書換処理
次に、図８を用いて、サーバ３０に記憶される設定発光率の書換処理について説明する。ここで、図８に示される設定発光率は、図４の例と同じである。
【００６６】
書換処理を実行する場合、照明器具１０の通信チップ１３は、発光部２３の実際の発光率を予め定められたタイミングでサーバ３０の通信部３１に送信する。ここで、予め定められたタイミングとは、ユーザー、照明器具１０の販売者又はシステム１００のサービス提供者が任意に設定可能なタイミングである。このタイミングは、０．１〜３，０００分、好ましくは、１〜３００分、さらに好ましくは、１０〜３０分に１回とすることができる。具体的には例えば、０．１、０．２、０．３、０．４、０．５、０．６、０．７、０．８、０．９、１、１０、２０、３０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、２９０、３００、５００、１，０００、１，５００、２，０００、２，５００、３，０００分であり、ここで例示した数値の何れか２つの間の範囲内であってもよい。
【００６７】
なお、図８の例では、予め定められたタイミングとして、３時間に１回、実際の発光率を通信部３１に送信する構成としている。ここで、図中の発光率は、３時間における平均発光率を示す。
【００６８】
サーバ３０は、発光部２３の実際の発光率に基づいて、設定発光率を書き換える。そして、書き換えられた発光率である書換発光率を、新たな設定発光率として記憶部３４に記憶する。
【００６９】
ここで、かかる書き換えは、任意の計算式により実現される。図８の例では、設置発光率をｘ１、実際の発光率をｘ２、書換発光率をｙとすると、「ｙ＝αｘ１＋βｘ２」により、書換発光率を算出している。ここで、α及びβは０より大きい数であり、「α＋β＝１」を満たすように設定される。なお、図８の例では、α＝０．５、β＝０．５としている。
【００７０】
このように、本発明の一実施形態に係る照明器具１０は、サーバ３０と無線通信可能な通信チップ１３を搭載しているので、照明器具１０の発光部２３の実際の発光率をサーバ３０に送信することができる。そして、サーバ３０は、照明器具１０から受信した実際の発光率に基づいて、ユーザーの実際の使用態様に即した設定発光率を生成することができる。これにより、ユーザーに必要とされている以上の強度での点灯の抑制に加え、ユーザーが利用しない時間帯には自動的に発光部２３を消灯することができ、不要な電力の使用を低減することができる。
【００７１】
６．その他
本発明に係るシステム１００は、以下の態様でも実施可能である。
・複数の照明器具１０をサーバ３０と通信させ、照明器具１０の設置場所ごとに最適な設定発光率をサーバ３０で管理する。
・季節に合わせて、発光部２３のトーンを制御する（例：夏は寒色、冬は暖色）。
・スマートスピーカー６０に変えて多機能情報端末５０に対して音声を入力し、かかる音声に基づくコマンドをサーバ３０に送信するようにしてもよい。
・多機能情報端末５０からの制御指令を、サーバ３０を介して照明器具１０に送信する。
【符号の説明】
【００７２】
１      ：無線給電パッド
２      ：ライトヘッド
３      ：アーム
３ａ    ：第１アーム
３ｂ    ：第２アーム
４ａ    ：第１回動部
４ｂ    ：第２回動部
５      ：軸
１０    ：照明器具
１１    ：ハウジング
１２    ：給電プラグ
１３    ：通信チップ
１４    ：無線給電モジュール
１５    ：バッテリー
１６    ：制御部
１７    ：記憶部
２１    ：ハウジング
２２    ：電力取得部
２３    ：発光部
２４    ：ＡＣ／ＤＣコンバータ
２５    ：操作部
３０    ：サーバ
３１    ：通信部
３２    ：制御部
３３    ：生成部
３４    ：記憶部
４０    ：睡眠状態検出装置
４１    ：通信部
４２    ：制御部
４３    ：センサー
５０    ：多機能情報端末
６０    ：スマートスピーカー
１００  ：システム
【図１】
2020009654.tif 000003
【図２】
2020009654.tif 000004
【図３】
2020009654.tif 000005
【図４】
2020009654.tif 000006
【図５】
2020009654.tif 000007
【図６】
2020009654.tif 000008
【図７】
2020009654.tif 000009
【図８】
2020009654.tif 000010